(57)【要約】【課題】フィルムが確実に二分割されるように２本の切断補助線を形成する切断補助線形成方法、受け材を提供する。【解決手段】切断補助線形成方法は、被包装物を包装する包装材又は該包装材の一構成となるフィルムＦ１，Ｆ２を、所定周波数の超音波が付与されるホーン２００と受け材２１０とで挟み込んだ状態で、ホーン２００に超音波を付与することでフィルムＦ１，Ｆ２を溶かして該フィルムＦ１，Ｆ２上に溝状の切断補助線１１ａ，１１ｂ，１６ａ，１６ｂを形成する。受け材は、ホーン２００と共にフィルムＦ１，Ｆ２を挟み込む先端部２１２の少なくとも一方向の幅が先端に向かうにつれて幅狭に形成され、ホーン２００と受け材２１０とにフィルムＦ１，Ｆ２を挟み込み、ホーン２００に超音波を付与し、フィルムＦ１，Ｆ２上に受け材２１０の先端部２１２の幅方向と直交する方向に延びる切断補助線１１ａ，１１ｂ，１６ａ，１６ｂを中間部で交差又は接するように２本形成する。【選択図】図１
2011131557.tif 000002
【特許請求の範囲】
【請求項１】
被包装物を包装する包装材又は該包装材の一構成となるフィルムを、所定周波数の超音波が付与されるホーンと受け材とで挟み込んだ状態で、前記ホーンに超音波を付与することでフィルムを溶かして該フィルム上に溝状の切断補助線を形成する切断補助線形成方法であって、前記受け材は、ホーンと共にフィルムを挟み込む先端部の少なくとも一方向の幅が先端に向かうにつれて幅狭に形成され、ホーンと受け材とにフィルムを挟み込み、ホーンに超音波を付与し、フィルム上に受け材の先端部の幅方向と直交する方向に延びる切断補助線を中間部で交差又は接するように２本形成することを特徴とする切断補助線形成方法。
【請求項２】
前記受け材の先端部には、形成する２本の切断補助線と同じラインの２本の稜線が設けられている請求項１に記載の切断補助線形成方法。
【請求項３】
前記ホーンは、２本の稜線に跨る幅に形成されている請求項２に記載の切断補助線形成方法。
【請求項４】
前記フィルムに長尺フィルムを採用して該長尺フィルムを長手方向に間欠搬送し、停止状態にある長尺フィルムを、先端部の幅方向がフィルムの長手方向と一致するように配置された受け材とホーンとで挟み込み、該長尺フィルムに対して長手方向と直交する方向の張力を作用させつつホーンに超音波を付与し、長尺フィルムの長手方向と直交する方向に延びる切断補助線を形成する請求項１乃至３の何れか一項に記載の切断補助線形成方法。
【請求項５】
両端部に亘って切断可能に薄肉に形成された切断補助線で分割され、該切断補助線の両側に強度の増した隆起部が形成されているフィルムによって構成されている包装材であって、前記切断補助線がフィルムの中間部で交差又は接するように２本設けられていることを特徴とする包装材。
【請求項６】
前記切断補助線及び隆起部は、一端部から他端部まで直線に形成されていることを特徴とする請求項５に記載の包装材。
【請求項７】
前記切断補助線及び隆起部の両端部は、平行に形成されていることを特徴とする請求項５に記載の包装材。
【請求項８】
被包装物を包装する包装材又は該包装材の一構成となるフィルムを所定周波数の超音波が付与されるホーンとで挟み込む切断補助線形成用の受け材であって、前記ホーンと共にフィルムを挟み込む先端部に二つの傾斜面が設けられ、該二つの傾斜面が先端に向かうにつれて幅狭とされ、両面がつき合う稜線が長さ方向の中間部で交差又は接するように２本形成されていることを特徴とする切断補助線形成用の受け材。
【発明の詳細な説明】
【技術分野】
【０００１】
本発明は、食品などの被包装物を包装する包装材又は該包装材の一構成となるフィルムに、該フィルムを切断する（引き裂く）ための切断補助線を形成する切断補助線形成方法、この切断補助線が形成された包装材及び切断補助線をホーンと共に形成するための切断補助線形成用の受け材に関する。
【背景技術】
【０００２】
従来から、おにぎり、寿司等の米飯類や、サンドイッチ、菓子パン、惣菜パン等のパン類等、菓子類等の食品を包装する包装材として、包装形態に応じて種々のタイプのものが提供されているが、その一つとして包装材全体又は包装材の一部を樹脂製のフィルムで構成したものがある。
【０００３】
かかる包装材は、一般的に当該包装材を構成するフィルム上に線状又は帯状の切断補助手段が設けられており、該切断補助手段でフィルムを切り裂くことで開封できるようになっている。
【０００４】
ここで、おにぎりを包装する包装材について説明すると、かかる包装材は、幅方向に分割可能に構成された外フィルムと、海苔や、薄焼き卵、畳鰯等のシート状食品を介して外フィルムに重ね合わされ、幅方向に分離可能に構成された内フィルムとを備えており、シート状食品を取り囲むように外フィルムの外周端部と内フィルムの外周端部とが溶着されている。
【０００５】
前記外フィルムには、幅方向と直交する方向に延びる切断補助手段が設けられている。これに対し、内フィルムは、幅方向に並列に配置された一対のフィルムで構成されたり、外フィルムと同様に、一枚のフィルムに対して幅方向と直交する方向に延びる切断補助手段が設けられたりしている。
【０００６】
上記構成の包装材は、内フィルム上におにぎりを載置した状態で該内フィルムを内側にして幅方向と直交する方向に二つ折りにし、対向する内フィルムの端部同士を溶着することで、おにぎりを包装した包装体とされる。
【０００７】
そして、該包装体は、外フィルムを切断補助手段で切り裂いて幅方向に分割する（二分割にする）とともに、内フィルムを幅方向に分離させることで、おにぎりとシート状食品との間から内フィルムが引き抜かれるようになっている。これにより、内フィルムを介して分離していたおにぎりとシート状食品とが一体的になり、これらを一緒に食べることのできる状態になるようになっている。
【０００８】
そして、切断補助手段の主流としてカットテープが採用されていたが、カットテープは接着剤等を介してフィルムに接着されるため、食品を電子レンジ等で加熱するような場合に、接着剤が軟化してカットテープがフィルムから剥がれたり、接着剤が溶け出したりしてしまう虞があった。
【０００９】
このような問題を解決するに当たり、フィルム上に切断補助手段としてミシン目を設けることも提案されている。しかし、ミシン目は、フィルムに対して切り目を破線状に設けられたものであることから、フィルムは切り目で内外が連通してしまい、該フィルムを使用した包装体は衛生上好ましくないものとなる。
【００１０】
そこで、ミシン目（切り目）を塞ぐ閉塞用フィルムをフィルムに貼着することもできる。しかし、そうすると、開封しづらくなるだけでなく、また、カットテープの場合と同様に、食品を電子レンジ等で加熱するような場合に、接着剤が軟化して閉鎖用フィルムがフィルムからはがれたり、接着剤が溶け出したりしてしまう虞があった。
【００１１】
このため、切断補助手段として、ハーフカットを採用することが提案されている。かかるハーフカットは、超音波等で包装材になるフィルムを溶かして該フィルム上に形成される細長い溝状のものである。その結果、包装材（フィルム）は、ハーフカットと対応する部分が薄肉になっている。
【００１２】
これにより、ハーフカットを採用した包装材（フィルム）は、内外が連通することがないため、水分等の進入がなく食品を衛生上好ましい状態で包装できる。そして、フィルムに対してハーフカットの延びる方向と直交する方向に引張力を作用させたときに、その力がハーフカットと対応する部分に集中的に作用する（応力集中が発生する）ため、該フィルムを薄肉で脆弱になった部分で容易に切断し、包装体を開封することができるとされている。
【００１３】
しかしながら、厚みの薄い包装材（フィルム）にハーフカットが形成された場合、包装体を開封する際に、包装材（フィルム）をハーフカットに沿って切断できない場合があった。すなわち、フィルムの厚みが薄くなると、フィルム上に形成されるハーフカット（溝）の深さが浅くなるため、フィルムを切断する（包装体を開封する）際に、フィルムがハーフカットに誘導されずに該ハーフカットに沿って切断できない場合があった。
【００１４】
そこで、本出願人は、フィルムの厚みに関係なく、所定の線上で切断可能な切断補助線をシート状のフィルム上に形成することのできる切断補助線形成方法を特許文献１に開示した。
【００１５】
この切断補助線形成方法は、図８（ａ）に示す如く、食品を包装する包装材又は該包装材の一構成となる長尺フィルムＦを、所定周波数の超音波が付与されるホーン２００と受け材２１０とで挟み込んだ状態で、前記ホーン２００に超音波を付与することで長尺フィルムＦを溶かして該長尺フィルムＦ上に溝状の切断補助線Ｌを形成するものである。
【００１６】
ホーン２００には、長尺フィルムＦの上面に接触する平坦な接触部２０２が設けられている。また、受け材２１０は、ホーン２００と共に長尺フィルムＦを挟み込む先端部２１２の少なくとも一方向の幅が先端に向かうにつれて幅狭（山形形状）に形成され、ホーン２００と受け材２１０とに挟み込まれた長尺フィルムＦに対して受け材２１０の先端部２１２の幅方向と直交する方向の張力を作用させつつホーン２００に超音波を付与することにより、長尺フィルムＦ上に受け材２１０の先端部２１２の幅方向と直交する方向に延びる切断補助線Ｌを形成する。
【００１７】
この切断補助線形成方法によれば、ホーン２００と受け材２１０とで長尺フィルムＦを挟んだ状態にしてホーン２００に超音波を付与することにより、ホーン２００の振動エネルギーによって長尺フィルムＦが溶け、その溶けた部分が受け材２１０の先端部２１２の両側（幅方向の両側）に押し退けられることになり、図８（ｂ）に示す如く、ホーン２００に先端部２１２の存在する部分と対応する部分が薄肉になる一方で、その薄肉部分の両側に同一形状に盛り上がった隆起部Ｒ，Ｒが形成される。
【００１８】
このような長尺フィルムＦは、被包装物を包装し、所定の部位がシールされ、所定の長さで切断されることにより、シート状のフィルムが被包装物を包装した包装材となる。この包装材は、切断補助線Ｌが形成されたものであり、この切断補助線Ｌと直交する方向に引っ張られると、厚みが周囲よりも極端に薄肉になった切断補助線Ｌと対応する部分に引張力（張力）が集中して作用し、薄肉になって脆弱になった部分（切断補助線Ｌ上）で引き裂かれる。
【００１９】
そして、このように包装材が引き裂かれるに際し、切断補助線Ｌの延びる方向に対して交差する方向にフィルムが裂けようとしても、切断補助線Ｌの両側に強度の増した隆起部Ｒ，Ｒが同一形状に形成されているため、フィルムは切断補助線Ｌに沿って裂けることになる。
【先行技術文献】
【特許文献】
【００２０】
【特許文献１】特許第４２６４１２３号公報
【発明の概要】
【発明が解決しようとする課題】
【００２１】
図９に示すように、前記切断補助線Ｌを形成した包装材１は、シート状食品Ｓを内側に収納し、被包装物の一例であるおにぎりＡを挟むように二つ折りとし、重なり合う三方を溶着することによって包装体２とされる（溶着された領域にドットを付して示している。）。
【００２２】
そして、切断補助線Ｌの両端部も重なり合い、この両端部を含むノッチＮが包装材１の溶着された短手側の端部にＶ字状（又は図示しないがＩ字状）に形成されている。そして、ノッチＮの両側を持って包装体２を短手方向に引っ張ると、その引っ張り力がノッチＮに集中する。そうすると、ノッチＮが起点となり、包装体２は切断補助線Ｌに沿って引き裂かれ、開封される。
【００２３】
しかし、おにぎりを挟むように二つ折りとされた包装材１において、表側の切断補助線ＬのノッチＮの部分と裏側の切断補助線ＬのノッチＮの部分とを重ね合わせることは極めて困難であるだけでなく、この両ノッチＮの部分が完全に重なり合ったとしても、この切断補助線ＬにノッチＮのＶ字状又はＩ字状の先端部を連続させることは困難である。
【００２４】
ノッチＮの先端部が切断補助線Ｌに連続していないと、ノッチＮが溶着された部分に設けられていることから、ノッチＮに集中した引っ張り力が切断補助線Ｌの端部の方に誘導されず、切断補助線Ｌを引き裂けないことがあった。
【００２５】
このような不具合は、図１０に示すように、第１と第２の２本の切断補助線Ｌ，Ｌを形成することによって解消することができる。この２本の切断補助線Ｌ，Ｌの各端部も、ノッチＮ内に位置している。ノッチＮの先端部は、２本の切断補助線Ｌ，Ｌの各端部間に容易に位置させることができる。
【００２６】
そして、包装体２を開封するため、ノッチＮに集中した引っ張り力がいずれかの一方の切断補助線Ｌ，Ｌに誘導され、切断補助線Ｌが引き裂かれることによって包装体２を開封することができる。
【００２７】
しかし、正面側では第１の切断補助線Ｌが引き裂かれ、背面側では第２の切断補助線Ｌが引き裂かれると、底部において両切断補助線Ｌが繋がらないため、包装材１を完全に二分割することができず、内フィルムをおにぎりとシート状食品Ｓとの間から引くにくくなってしまう。
【００２８】
そこで、本発明は、フィルムが確実に二分割されるように２本の切断補助線を形成する切断補助線形成方法を提供することを課題とする。
【課題を解決するための手段】
【００２９】
本発明に係る切断補助線形成方法は、被包装物を包装する包装材又は該包装材の一構成となるフィルムを、所定周波数の超音波が付与されるホーンと受け材とで挟み込んだ状態で、前記ホーンに超音波を付与することでフィルムを溶かして該フィルム上に溝状の切断補助線を形成する切断補助線形成方法であって、前記受け材は、ホーンと共にフィルムを挟み込む先端部の少なくとも一方向の幅が先端に向かうにつれて幅狭に形成され、ホーンと受け材とにフィルムを挟み込み、ホーンに超音波を付与し、フィルム上に受け材の先端部の幅方向と直交する方向に延びる切断補助線を中間部で交差又は接するように２本形成することを特徴としている。
【００３０】
上記切断補助線形成方法によれば、前記受け材は、ホーンと共にフィルムを挟み込む先端部の少なくとも一方の幅が先端に向かうにつれて幅狭に形成され、ホーンに超音波を付与することによって、ホーンと受け材とに挟み込まれたフィルムに受け材の先端部の幅方向と直交する方向に延びる切断補助線を形成するようにしている。
【００３１】
ホーンと受け材とでフィルムを挟んだ状態にしてホーンに超音波が付与されることにより、ホーンの振動エネルギーによってフィルムが溶け、その溶けた部分が受け材の先端部の両側（幅方向の両側）に押し退けられることになる。これにより、ホーンに先端部の存在する部分と対応する部分に薄肉の切断補助線が形成される一方で、その薄肉部分の両側に盛り上がった隆起部が形成される。
【００３２】
そして、フィルムを切断補助線と直交する方向に引っ張ると、厚みが周囲の厚みと極端に異なる切断補助線と対応する部分に引っ張り力（張力）が集中して作用し、フィルムは、薄肉になって脆弱になった部分（切断補助線上）で切断されることになる。そして、このようにフィルムが切断されるに際し、切断補助線の延びる方向に対して交差する方向にフィルムが裂けようとしても、切断補助線の両側に強度の増した隆起部が形成されているため、フィルムは切断補助線に沿って引き裂かれることになる。従って、上記フィルムが包装材全体或いは包装材の一構成となったときに、該包装材を切断補助線に沿って体裁よく引き裂くことができる。
【００３３】
そして、フィルムは、中間部で交差又は接する２本の切断補助線を形成したものとされる。このフィルムによって構成される包装材が二つ折りとされて被包装物を包装すると、各切断補助線の端部同士が重なり合う包装体となる。この包装体は、各切断補助線が多少ずれ重なっていても、２本の切断補助線の端部の間に引き裂き力が加えられると、フィルムがいずれかの切断補助線に沿って引き裂かれる。正面側と背面側で異なる切断補助線に沿って引き裂かれたとしても、引き裂かれたラインが中間部で繋がるため、包装体を完全に二分割することができる。
【００３４】
また、本発明の一態様として、前記受け材の先端部には、形成する２本の切断補助線と同じラインの２本の稜線が設けられていることが好ましい。
【００３５】
この切断補助線形成方法によれば、形成する２本の切断補助線と同じラインの２本の稜線が受け材の先端部に設けられることにより、該稜線とホーンとがフィルムを挟み、ホーンがフィルムを介して受け材の稜線上を移動することによって、中間部で交差又は接する２本の切断補助線を形成することができる。
【００３６】
また、前記本発明の一態様において、前記ホーンは、２本の稜線に跨る幅に形成されていることが好ましい。
【００３７】
この切断補助線形成方法によれば、ホーンがフィルムを介して受け材の一端部から他端部まで、又は他端部から一端部まで移動するだけで、中間部が交差又は接する２本の切断補助線を形成することができる。
【００３８】
また、前記本発明の別の態様として、前記フィルムに長尺フィルムを採用して該長尺フィルムを長手方向に間欠搬送し、停止状態にある長尺フィルムを、先端部の幅方向がフィルムの長手方向と一致するように配置された受け材とホーンとで挟み込み、該長尺フィルムに対して長手方向と直交する方向の張力を作用させつつホーンに超音波を付与し、長尺フィルムの長手方向と直交する方向に延びる切断補助線を形成してもよい。
【００３９】
長尺フィルムを長手方向に搬送すると、その搬送でフィルムの上流側と下流側との間で張力が作用する場合があるが、このような場合に、切断補助線を長尺フィルムの長手方向（搬送方向）と直交する方向に延びるように形成すると、長尺フィルムの搬送中に該長尺フィルムが切断補助線で裂けてしまうことがある。
【００４０】
従って、長尺フィルムを長手方向に搬送する場合、長尺フィルムの長手方向と直交する方向に延びるように切断補助線を形成することは通常、なされていなかったが、上記方法によれば、長尺フィルムに対して長手方向（搬送方向）と直交する方向の張力を作用させるようにしているため、切断補助線を長尺フィルムの長手方向と直交する方向に延びるように形成しても、長尺フィルムが裂けてしまうことがない。これにより、長尺フィルムの供給パターンの選択性が増えるため、種々形態の包装材（包装材の製造）を対象にすることができる。
【００４１】
また、本発明に係る包装材は、両端部に亘って切断可能に薄肉に形成された切断補助線で分割され、該切断補助線の両側に強度の増した隆起部が形成されているフィルムによって構成されている包装材であって、前記切断補助線がフィルムの中間部で交差又は接するように２本設けられていることを特徴としている。
【００４２】
上記包装材によれば、中間部で交差又は接する２本の切断補助線を形成したものとされることにより、二つ折りとされて被包装物を包装すると、切断補助線の端部同士が重なり合う包装体となる。この包装体は、各切断補助線が多少ずれて重なっていても、２本の切断補助線の端部の間に引き裂き方向の力が加えられると、フィルムがいずれかの切断補助線に沿って引き裂かれる。したがって、この包装体は、正面側と背面側で異なる切断補助線に沿って引き裂かれたとしても、引き裂かれたラインが中間部で繋がるため、包装体を完全に二分割することができる。
【００４３】
また、前記本発明の一態様において、前記切断補助線及び隆起部は、一端部から他端部まで直線に形成されていてもよい。
【００４４】
包装材が長手方向に短い場合に、切断補助線及び隆起部を一端部から他端部まで直線に形成しても、２本の切断補助線の各端部の間隔が開封に支障のない幅以下とすることができる。換言すれば、包装材は、２本の切断補助線の各端部の間隔が支障のない幅以下とすることができる場合に、切断補助線及び隆起部を一端部から他端部まで直線に形成したものとすることができる。
【００４５】
また、前記本発明の一態様において、前記切断補助線及び隆起部の両端部は、平行に形成されていてもよい。
【００４６】
上機構成の包装材によれば、一方（他方も同じ。）の端部側の切断補助線と交差点又は接する点と一方の端部（他方も同じ。）の切断補助線とがなす角度が大きくても、両端部が平行に形成されることにより、２本の切断補助線の各端部での間隔を開封に支障のない幅以下とすることができる。
【００４７】
また、本発明に係る切断補助線形成用の受け材は、被包装物を包装する包装材又は該包装材の一構成となるフィルムを所定周波数の超音波が付与されるホーンとで挟み込む切断補助線形成用の受け材であって、前記ホーンと共にフィルムを挟み込む先端部に二つの傾斜面が設けられ、該二つの傾斜面が先端に向かうにつれて幅狭とされ、両面がつき合う稜線が長さ方向の中間部で交差又は接するように２本形成されていることを特徴としている。
【００４８】
上記構成の切断補助線形成用の受け材によれば、稜線が長さ方向の中間部で交差又は接するように２本形成されていることにより、ホーンがフィルムを介して受け材上を往動又は復動するだけで、中間部で交差又は接する２本の切断補助線をフィルムに形成することができる。
【発明の効果】
【００４９】
本発明によれば、中間部で又は接する２本の切断補助線がフィルムに形成されることにより、このフィルムによって構成された包装材は、開封に際して切断補助線の中間部が繋がって完全に二分割されるため、開封性を向上させることができるという優れた効果を奏し得る。
【図面の簡単な説明】
【００５０】
【図１】本発明の一実施形態によって形成された切断補助線を有する包装材を示し、一部拡大断面図を含む概略分解斜視図である。
【図２】本発明の一実施形態によって形成された切断補助線を有する包装材を示す概略斜視図である。
【図３】本発明の一実施形態によって形成された切断補助線を示し、（ａ）は直線状の切断補助線を有する包装材の概略平面図、（ｂ）は屈曲した切断補助線を有する包装材の概略平面図である。
【図４】本発明の一実施形態によって形成された切断補助線を有する包装材によって被包装材を包装した包装体を底側から見た概略斜視図である。
【図５】本発明の一実施形態によって切断補助線を形成する製造設備の概念を示す概略斜視図である。
【図６】本発明の一実施形態によって切断補助線を形成する受け材を示し、（ａ）は狭い幅の長尺フィルムで使用する概略平面図、（ｂ）は広い幅の長尺フィルムで使用する概略平面図である。
【図７】本発明の前記と異なる実施形態の切断補助線を有する包装材の要部拡大平面図である。
【図８】（ａ）は従来の切断補助線を形成する方法を示す要部拡大断面図、（ｂ）は従来の切断補助線によって形成された切断補助線を示す要部拡大断面図である。
【図９】従来の切断補助線を有する包装材によって被包装物を包装した包装体を示す概略斜視図である。
【図１０】図９と異なる従来の切断補助線を有する包装材によって被包装物を包装した包装体を示す概略斜視図である。
【発明を実施するための形態】
【００５１】
以下、本発明の一実施形態について図１ないし図６を参照しつつ説明する。なお、本実施形態では、おにぎりを包装するための米飯加工食品用包装材（以下、単に包装材という）の製造過程において、該包装材の一構成となるフィルム（包装材用フィルム）に切断補助線を形成する場合を一例に説明することとする。
【００５２】
ここで包装材の一構成となるフィルム（包装材用フィルム）に対する切断補助線形成方法（包装材の製造過程）の説明に先立ち、包装材について概略説明する。
【００５３】
かかる包装材は、図１及び図２に示す如く、幅方向に分離可能に構成された内フィルム１０と、シート状食品Ｓを介して内フィルム１０に重ね合わされる外フィルム１５とを備え、シート状食品Ｓを取り囲むように内フィルム１０の外周端部と外フィルム１５の外周端部とが互いに溶着されている。なお、各図において、ドットを付した領域が溶着される領域、或いは溶着された領域を示している。
【００５４】
前記内フィルム１０は、一枚のフィルムで構成されており、長方形状に形成されている。本実施形態に係る内フィルム１０は、長手方向と直交する方向（短手方向）の略中央を通って長手方向に延びる２本の切断補助線１１ａ，１１ｂが中間部で交差するように形成されている。かかる切断補助線１１ａ，１１ｂは、図１の一部拡大断面図に示すように溝状に形成されている。これにより、内フィルム１０は、切断補助線１１ａ，１１ｂの形成された部位が薄肉になっている。すなわち、内フィルム１０は、切断補助線１１ａ，１１ｂと対応した部位が当初の厚み（内フィルム１０になる包装材用フィルムの厚み）よりも薄肉になっている。
【００５５】
そして、本実施形態に係る内フィルム１０は、後述する切断補助線形成方法によって切断補助線１１ａ，１１ｂが形成されているため、切断補助線１１ａ，１１ｂの両側には該切断補助線１１ａ，１１ｂに沿って盛り上がった隆起部１２，１２が形成されている。該内フィルム１０の隆起部１２，１２は、切断補助線１１ａ，１１ｂと対応する部位（薄肉になった部位）とは反対に、当初の厚み（内フィルム１０になる包装材用フィルムの厚み）よりも厚肉になっている。これにより、内フィルム１０は、切断補助線１１ａ，１１ｂの深さが確保されるとともに、該切断補助線１１ａ，１１ｂの両側の強度が他の部分よりも強くなっている。
【００５６】
また、前記外フィルム１５は、一枚のフィルムで構成されており、長方形状に形成されている。本実施形態に係る外フィルム１５は、内フィルム１０と同形態で且つ同サイズに形成されており、長手方向と直交する方向（短手方向）の略中央を通って長手方向に延びる２本の切断補助線１６ａ，１６ｂが中間部で交差するように形成されている。
【００５７】
従って、外フィルム１５は、切断補助線１６ａ，１６ｂを当初の厚み（外フィルム１５になる包装材用フィルムの厚み）よりも薄肉の溝状に形成し、切断補助線１６ａ，１６ｂの両側に該切断補助線１６ａ，１６ｂに沿って盛り上がった厚肉の隆起部１７，１７を形成したものとされている。これにより、外フィルム１５は、切断補助線１６ａ，１６ｂの深さが確保されるとともに、該切断補助線１６ａ，１６ｂの両側の強度が他の部分よりも強くなっている。
【００５８】
そして、前記いずれの切断補助線１１ａ，１１ｂ，１６ａ，１６ｂも、内フィルム１０及び外フィルム１５の中間部で交差し、各端部で間隔があけられる。切断補助線１１ａ，１１ｂ，１６ａ，１６ｂが内フィルム１０及び外フィルム１５の一方の端部と交差点と一方の端部とを結ぶ線がなす角度（他方の端部と交差点と他方の端部とがなす角度も同じ。以下、切断補助線のなす角度という。）αと内フィルム１０及び外フィルム２０のサイズとの関係で、切断補助線１１ａ，１１ｂ，１６ａ，１６ｂは、Ｘ字状の直線とされたり、両端部で平行となるように中間部で屈曲されたりする。
【００５９】
すなわち、内フィルム１０及び外フィルム１５が図３（ａ）に示す如く、小さなサイズである（長手方向に短い）と、切断補助線のなす角度αをもって切断補助線１１ａ，１１ｂ，１６ａ，１６ｂが内フィルム１０及び外フィルム１５の長手方向の一方の端部から他方の端部まで直線で形成されても、切断補助線１１ａ，１１ｂ，１６ａ，１６ｂの端部での間隔は、例えば１５ｍｍ程度以下とされるため、後述する開封に際して不都合がなく切断補助線１１ａ，１１ｂ，１６ａ，１６ｂを引き裂くことができる。
【００６０】
しかし、内フィルム１０及び外フィルム１５が図３（ｂ）に示す如く、大きなサイズである（長手方向に長い）と、内フィルム１０及び外フィルム１５の長手方向の長さが長くなるため、切断補助線のなす角度αを図３（ａ）と同じ角度とし、切断補助線１１ａ，１１ｂ，１６ａ，１６ｂを二点差線で示す如く直線に形成すると、内フィルム１０及び外フィルム１５の長手方向の両端部での間隔が１５ｍｍ程度以上になる。すると、後述する開封に際して切断補助線１１ａ，１１ｂ，１６ａ，１６ｂを引き裂きにくいものとなる。
【００６１】
そこで、大きなサイズの内フィルム１０及び外フィルム１５において、端部の間隔を１５ｍｍ程度以下とし、切断補助線のなす角度αを図３（ａ）と同じ角度とする場合においては、切断補助線１１ａ，１１ｂ，１６ａ，１６ｂは、両端部側で平行とされ、中間部で屈曲される。
【００６２】
ただし、大きなサイズの内フィルム１０及び外フィルム１５において、切断補助線１１ａ，１１ｂ，１６ａ，１６ｂの両端部の間隔を１５ｍｍ程度以下とし、図３（ｂ）の一点差線で示すように、切断補助線のなす角度αを図３（ａ）に示した角度よりも狭くしてもよい。逆に、切断補助線１１ａ，１１ｂ，１６ａ，１６ｂは、図３（ｂ）の実線で示すように、平行な部分を長くし、切断補助線のなす角度αを大きくしてもよい。
【００６３】
そして、内フィルム１０及び外フィルム１５は、図２に示す如く、海苔等のシート状食品Ｓを介して重ね合わされた状態で、シート状食品Ｓを取り囲むように溶着した包装材１とされる。これにより、本実施形態に係る包装材１は、外周の略全周に亘って内フィルム１０と外フィルム１５とが互いに溶着された溶着部（図１、図２においてドットを付した領域）が形成されている。
【００６４】
また、上記包装材１は、切断補助線１１ａ，１１ｂ，１６ａ，１６ｂの配置に対応するように、内フィルム１０及び外フィルム１５の長手方向の両端部に開封用のノッチ（開封起点となるノッチ）Ｎが形成されている。かかるノッチＮは、内フィルム１０及び外フィルム１５を部分的に切り欠いた切欠き１３，１８が重なって形成されている。本実施形態において、ノッチＮ（内フィルム１０及び外フィルム１５のそれぞれの切欠き１３，１８）は、内フィルム１０及び外フィルム１５を重ね合わせて外周端部同士を溶着させた後に、両フィルム１０，１５の端部を一緒に打ち抜くことで形成されている。
【００６５】
本実施形態に係る包装材１は、以上の構成からなり、続いて、上記構成の包装材１による包装方法と開封方法について説明する。
【００６６】
まず、図２の仮想線に示す如く、内フィルム１０上におにぎりＡを載置し、該おにぎりＡを包み込むように包装材１全体を長手方向に二つ折りにする。すなわち、内フィルム１０の長手方向の両端部同士が重なり合うように包装材１全体を長手方向に二つ折りにする。このように包装材１を二つ折りにすることで、内フィルム１０の長手方向の両端部同士が重なり合うとともに、内フィルム１０の短手方向の両端部のそれぞれが重なり合った状態になる。
【００６７】
そして、図４に示す如く、包装材１全体を二つ折りにすることによって重なり合った（対向した）内フィルム１０の三方の端部同士を溶着（シール）すると包装体２となる。このとき、おにぎりＡを包装した状態で内外が連通しないように、内フィルム１０の長手方向の両端部同士は、ノッチＮ（切欠き１３，１８）全体が含まれるように溶着される。また、ノッチＮ内に２本の切断補助線１１ａ，１１ｂ，１６ａ，１６ｂの端部が位置している。
【００６８】
なお、内フィルム１０及び外フィルム１５の各切欠き１３，１８は、該切欠き１３，１８を画定する両フィルム１０，１５のエッジと切断補助線１１ａ，１１ｂ，１６ａ，１６ｂとが連続するように形成されるが、内フィルム１０の長手方向の両端部同士を溶着する領域に切断補助線１１ａ，１１ｂ，１６ａ，１６ｂが含まれると、開封性が悪くなるため、内フィルム１０の長手方向の両端部同士の溶着は、可能な限り切断補助線１１ａ，１１ｂ，１６ａ，１６ｂを含めないように行われる。
【００６９】
そして、上述の如く、内フィルム１０の端部同士を溶着すると、包装材１は、内フィルム１０でおにぎりＡとシート状食品Ｓとを分離した状態（隔絶した状態）でおにぎりＡを包装した包装体２になる。
【００７０】
この包装体２を開封するには、ノッチＮの両側を持って包装体２を短手方向に引っ張る（ノッチＮの両側を離間させるように引っ張る）と、その引っ張り力がノッチＮに集中する。そうすると、ノッチＮ（切欠き１３，１８を画定するエッジと切断補助線１１ａ，１１ｂ，１６ａ，１６ｂとの境界（交点））が起点となり、内フィルム１０及び外フィルム１５のそれぞれが、切断補助線１１ａ，１１ｂ，１６ａ，１６ｂに沿って引き裂かれる（切断される）ことになる。
【００７１】
本実施形態に係る包装材１は、内フィルム１０及び外フィルム１５の切断補助線１１ａ，１１ｂ，１６ａ，１６ｂの両側に強度の増した隆起部１２，１２，１７，１７が形成されているため（図１の拡大断面図参照）、上述の如く内フィルム１０及び外フィルム１５が引き裂かれる際に、その裂け目（切断線）が隆起部１２，１２，１７，１７を乗り越えて切断補助線１１ａ，１１ｂ，１６ａ，１６ｂから外れることがなく、両フィルム１０，１５が切断補助線１１ａ，１１ｂ，１６ａ，１６ｂに沿ってきれいに引き裂かれることになる。
【００７２】
そして、内フィルム１０及び外フィルム１５のそれぞれが切断補助線１１ａ，１１ｂ，１６ａ，１６ｂに沿って切断されることで、包装体２全体（内フィルム１０及び外フィルム１５）が短手方向で分離される（二分割される）ことになる。
【００７３】
そして、特筆すべきは、内フィルム１０及び外フィルム１５の切り裂き起点であるノッチＮ内に２本の切断補助線１１ａ，１１ｂ，１６ａ，１６ｂの端部が位置しているため、例えば、正面側では左側の切断補助線１１ａ，１１ｂ，１６ａ，１６ｂから切り裂かれ、背面側では右側の切断補助線１１ａ，１１ｂ，１６ａ，１６ｂから切り裂かれることがある。しかし、切断補助線１１ａ，１１ｂ，１６ａ，１６ｂは中間部で交差しているため、このような場合であっても中間部で引き裂きラインが合流し、包装体２が二分割される。
【００７４】
そして、上述のように包装体２の端部を短手方向に引っ張ることで、内フィルム１０及び外フィルム１５のそれぞれが二分割されるのに併せ、包装体２の短手方向の一端側と他端側とが離間する結果、二分割された内フィルム１０がおにぎりＡとシート状食品Ｓとの間から引き抜かれる。これにより、おにぎりＡとシート状食品Ｓとが一体になって食することのできる状態となる。
【００７５】
次に、内フィルム１０になるフィルム、及び外フィルム１５になるフィルムに対して切断補助線１１ａ，１１ｂ，１６ａ，１６ｂを形成する設備を備えた包装材１の製造設備について図５を参照しつつ説明する。
【００７６】
かかる製造設備は、外フィルム１５の連続体である長尺なフィルム（以下、この長尺フィルムを第一長尺フィルムという）Ｆ１を長手方向に搬送する搬送径路（以下、この搬送経路を第一搬送径路という）Ｒ１と、内フィルム１０の連続体である長尺なフィルム（以下、この長尺フィルムを第二長尺フィルムという）Ｆ２を長手方向に搬送する搬送径路（以下、この搬送径路を第二搬送径路という）Ｒ２とを備えている。
【００７７】
第一搬送経路Ｒ１上には、第一長尺フィルムＦ１に切断補助線１６ａ，１６ｂを形成する切断補助線形成部（以下、第一切断補助線形成部という）２０ａ、第一長尺フィルムＦ１上にシート状食品Ｓを載置する食品載置部２１ａ、第一長尺フィルムＦ１上に第二長尺フィルムＦ２を重ね合わせるフィルム重合部２２ａ（２２）、第一長尺フィルムＦ１に第二長尺フィルムＦ２を溶着するフィルム溶着部２３ａ（２３）、第二長尺フィルムＦ２が溶着された第一長尺フィルムＦ１を該第二長尺フィルムＦ２とともに所定サイズ（長さ）に切断し、枚葉状の包装材１にするフィルム切断部２４ａ（２４）が設けられている。
【００７８】
そして、本実施形態に係る第一搬送径路Ｒ１は、第一長尺フィルムＦ１の搬送方向の上流側から、第一切断補助線形成部２０ａ、食品載置部２１ａ、フィルム重合部２２ａ、フィルム溶着部２３ａ、フィルム切断部２４ａの順でこれらが配設されている。
【００７９】
これに対し、第二搬送径路Ｒ２上には、第二長尺フィルムＦ２に切断補助線１１ａ，１１ｂを形成する切断補助線形成部（以下、第二切断補助線形成部という）２０ｂ、第二長尺フィルムＦ２上に第一長尺フィルムＦ１を重ね合わせるフィルム重合部２２ｂ（２２）、第二長尺フィルムＦ２に第一長尺フィルムＦ１を溶着するフィルム溶着部２３ｂ（２３）、第一長尺フィルムＦ１が溶着された第二長尺フィルムＦ２を該第一長尺フィルムＦ１とともに所定サイズ（長さ）に切断し、枚葉状の包装材１にするフィルム切断部２４ｂ（２４）が設けられている。
【００８０】
そして、本実施形態に係る第二搬送径路Ｒ２は、第二長尺フィルムＦ２の搬送方向の上流側から、第二切断補助線形成部２０ｂ、フィルム重合部２２ｂ、フィルム溶着部２３ｂ、フィルム切断部２４ｂの順でこれらが配設されている。
【００８１】
すなわち、第一搬送径路Ｒ１及び第二搬送径路Ｒ２は、第一切断補助線形成部２０ａと第二切断補助線形成部２０ｂとがそれぞれ独立した径路となり、それよりも下流側にあるフィルム重合部２２（２２ａ，２２ｂ）、フィルム溶着部２３（２３ａ，２３ｂ）、フィルム切断部２４（２４ａ，２４ｂ）が互いに重複した径路、すなわち共通した構成になるように形成されている。
【００８２】
そして、第一切断補助線形成部２０ａ及び第二切断補助線形成部２０ｂは、それぞれ超音波によって長尺フィルム（第一長尺フィルムＦ１、第二長尺フィルムＦ２）に対して、中間部で交差する２本の溝状の切断補助線１１ａ，１１ｂ，１６ａ，１６ｂを形成するようになっている。すなわち、第一切断補助線形成部２０ａは、第一長尺フィルムＦ１に対して外フィルム１５用の切断補助線１６ａ，１６ｂを超音波で形成し、第二切断補助線形成部２０ｂは、第二長尺フィルムＦ２に対して内フィルム１０用の切断補助線１１ａ，１１ｂを超音波で形成するようになっている。
【００８３】
具体的に説明すると、第一切断補助線形成部２０ａは、従来の図８に示す如く、所定周波数の超音波が付与されるホーン２００と、ホーン２００に対向するように配置される受け材２１０とを備えている。第一切断補助線形成部２０ａは、第一長尺フィルムＦ１をホーン２００と受け材２１０とで挟み込んだ状態で、ホーン２００に超音波を付与することで第一長尺フィルムＦ１を溶かして該第一長尺フィルムＦ１上に溝状の切断補助線１６ａ，１６ｂを形成するようになっている。
【００８４】
ただし、受け材２１０は、２本の切断補助線１６ａ，１６ｂを形成するように、第一長尺フィルムＦ１の幅と略同じ長さの変形角柱状に形成され、水平姿勢で第一長尺フィルムＦ１の下面側に配置されている。すなわち、受け材２１０は、図５の一部拡大端面図に示す如く、ホーン２００と共に第一長尺フィルムＦ１を挟み込む先端部（後述する第二フィルム接触部）２１２に二つの傾斜面２１２a，２１２ｂが設けられ、この二つの傾斜面２１２a，２１２ｂが先端に向かうにつれて幅狭とされ、両面２１２a，２１２ｂがつき合う稜線２１２ｃが２本形成されている。より具体的に説明すると、前記受け材２１０は、定位置に配置される受け材本体２１１と、該受け材本体２１１からホーン２００（第一長尺フィルムＦ１）側に突出した第二フィルム接触部２１２とを備えている。
【００８５】
そして、第二フィルム接触部２１２は、２本の切断補助線１６ａ，１６ｂが長さ方向の中間部で交差するようにするため、図６（ａ）に示す如く平面視Ｘ字形又は図６（ｂ）に示す如く両端部を平行にした変形Ｘ字形に形成されている。また、第二フィルム接触部２１２は、第一長尺フィルムＦ１の他方の裏面に接触させる当該受け材２１０の先端部であり、受け材２１０の長手方向（軸線方向）と直交する一方向の幅が先端（ホーン２００側）に向かうにつれて幅狭になるように形成されている。すなわち、第二フィルム接触部２１２は、端面が逆Ｗ字状に形成されている。
【００８６】
そして、本実施形態に係る第二フィルム接触部（先端部）２１２は、図５の一部拡大端面図に示す如く、幅方向の両面２１２ａ，２１２ｂが鈍角をなすように形成されている。すなわち、本実施形態に係る第二フィルム接触部２１２は、受け材本体２１１から上向きに突出した各二つの面（幅方向の両面）２１２ａ，２１２ｂが受け材本体２１１側から先端に向かうにつれて互いに接近した傾斜面で構成されており、両傾斜面２１２ａ，２１２ｂの内角θが鈍角に設定されている。
【００８７】
そして、受け材２１０は、幅方向の両面２１２ａ，２１２ｂがつき合って先端に向けて形成される稜線２１２ｃが第一長尺フィルムＦ１の幅方向に延びるように配置されている。
【００８８】
第一長尺フィルムＦ１に対し、側部に切断補助線１６ａ，１６ｂを形成せず、側部をスクラップとして切除する場合においては、受け材２１０の少なくとも第二フィルム接触部２１２は、図６に示す如く、第一長尺フィルムＦ１の幅よりも若干（切除する幅）短く設定されている。
【００８９】
また、第一長尺フィルムＦ１に対し、切断補助線１６ａ，１６ｂを幅方向に全長に亘って形成する場合において、受け材２１０の第二フィルム接触部２１２は、図示しないが、第一長尺フィルムＦ１の幅以上の長さに設定されている。
【００９０】
そして、本実施形態に係る第一切断補助線形成部２０ａは、図６に示す如く、ホーン２００と受け材２１０とに挟み込まれた第一長尺フィルムＦ１に対して受け材２１０の先端部２１２の幅方向と直交する方向に張力Ｔを作用させるようになっている。すなわち、該第一切断補助線形成部２０ａは、受け材２１０及びホーン２００の配置に対応して、第一長尺フィルムＦ１に対して幅方向に張力Ｔを作用させる張力発生装置２３０をさらに備えている。かかる張力発生装置２３０は、第一長尺フィルムＦ１の幅方向の両端部を把持する一対の把持手段２３１，２３２を備えている。
【００９１】
前記のように、第一長尺フィルムＦ１の両側部をスクラップとして切除する場合は、一対の把持手段２３１，２３２は、第一長尺フィルムＦ１の各側部を受け材２１０と隣り合って把持するように構成されている。
【００９２】
また、第一長尺フィルムＦ１の両端部をスクラップとして切除しないで全幅に亘って受け材２１０が配置される場合は、図示しないが、各把持手段２３１，２３２は、受け材２１０の各端部の両側を挟むような位置で第一長尺フィルムＦ１の各端部を二箇所ずつ把持するように構成されている。
【００９３】
いずれにしても、前記ホーン２００は、下端に設けられた第一フィルム接触部２０２が２本の第二フィルム接触部２１２の稜線２１２ｃの間隔よりも大きく形成され、そして、稜線２１２ｃの延びる方向（第一長尺フィルムＦ１の幅方向）に、且つ２本の稜線２１２ｃに沿って往復動可能に設けられている。
【００９４】
すなわち、上記構成の第一切断補助線形成部２０ａは、ホーン２００の第一フィルム接触部２０２と受け材２１０の第二フィルム接触部２１２の稜線２１２ｃとで第一長尺フィルムＦ１を挟み込むとともに、張力発生装置２３０で第一長尺フィルムＦ１に対して幅方向の張力Ｔを作用させ、この状態でホーン２００に超音波を付与しつつ、該ホーン２００を第二フィルム接触部２１２の頂部（稜線２１２ｃ）に沿って移動させることで第一長尺フィルムＦ１上に幅方向に延びる２本の切断補助線１６ａ，１６ｂを形成するようになっている。
【００９５】
なお、本実施形態に係る第二切断補助線形成部２０ｂは、第一切断補助線形成部２０ａと同一の構成とされている。従って、第二切断補助線形成部２０ｂの説明については、上記第一切断補助線形成部２０ａについての上記説明、及び図５及び図６を参照することとし、ここでは割愛することとする。
【００９６】
第一搬送径路Ｒ１上の食品載置部２１ａは、図５に示す如く、第一切断補助線形成部２０ａで形成された切断補助線１６ａ，１６ｂ上にシート状食品Ｓを配置することになっている。第一搬送径路Ｒ１及び第二搬送径路Ｒ２のフィルム重合部２２（２２ａ，２２ｂ）、フィルム溶着部２３（２３ａ，２３ｂ）、フィルム切断部２４（２４ａ，２４ｂ）は、上述の如く、第一搬送径路Ｒ１と第二搬送径路Ｒ２との共通の構成であり、フィルム重合部２２は、第一搬送径路Ｒ１上の食品載置部２１ａの下流側で第一搬送径路Ｒ１及び第二搬送径路Ｒ２が重複することで、両径路Ｒ１，Ｒ２上で搬送される第一長尺フィルムＦ１と第二長尺フィルムＦ２とがシート状食品Ｓを介して重なり合うようになっている。
【００９７】
前記フィルム溶着部２３は、重複した第一搬送径路Ｒ１及び第二搬送径路Ｒ２上で搬送される第一長尺フィルムＦ１と第二長尺フィルムＦ２との間（重なり合った第一及び第二長尺フィルムＦ１，Ｆ２の間）に介在するシート状食品Ｓを取り囲むように、第一長尺フィルムＦ１と第二長尺フィルムＦ２を溶着するようになっている。
【００９８】
前記フィルム切断部２４（２４ａ，２４ｂ）は、第一長尺フィルムＦ１と第二長尺フィルムＦ２とが溶着された領域（シート状食品Ｓを取り囲んだ領域）を包装材１として切り離すようになっている。
【００９９】
次に、本実施形態に係る包装材１の製造方法（切断補助線形成方法）について説明することとする。かかる製造方法に用いられる製造設備は、上述の通りであり、第一搬送径路Ｒ１上で第一長尺フィルムＦ１を搬送するとともに、第二搬送径路Ｒ２上で第二長尺フィルムＦ２を搬送する。
【０１００】
本実施形態では、第一切断補助線形成部２０ａで第一長尺フィルムＦ１に対して切断補助線１６ａ，１６ｂを形成するとともに、第二切断補助線形成部２０ｂで第二長尺フィルムＦ２に対して切断補助線１１ａ，１１ｂを形成するため、第一搬送径路Ｒ１では第一長尺フィルムＦ１が間欠搬送され、第二搬送径路Ｒ２では第二長尺フィルムＦ２が間欠搬送される。
【０１０１】
ここで、長尺フィルム（第一長尺フィルムＦ１、第二長尺フィルムＦ２）に対する切断補助線１１ａ，１１ｂ，１６ａ，１６ｂの形成方法について説明する。
【０１０２】
受け材２１０とホーン２００とによって停止中の長尺フィルムＦ１，Ｆ２を挟み込んだ状態で、張力発生装置２３０で長尺フィルムＦ１，Ｆ２に張力Ｔを作用させつつホーン２００に超音波を発生させることで、長尺フィルムＦ１，Ｆ２を介して受け材２１０に超音波が伝わる結果、図８（ａ）に示す如く、その振動エネルギーが熱になって長尺フィルムＦ１，Ｆ２が受け材２１０の第二フィルム接触部（先端部）２１２に沿って溶けることになる。これに併せ、長尺フィルムＦ１，Ｆ２の溶けた部分が、受け材２１０（第二フィルム接触部２１２）の両側（幅方向両側）に押し退けられて隆起した状態になる。
【０１０３】
そして、本実施形態においては、上述の如く、長尺フィルムＦ１，Ｆ２の幅方向に張力Ｔを作用させるようにしているため、図８（ｂ）に示す如く、長尺フィルムＦ１，Ｆ２は、長手方向で張力Ｔの作用点側（切断補助線１１ａ，１１ｂ，１６ａ，１６ｂを形成する予定位置）に寄ろうとする力が作用する。
【０１０４】
その結果、受け材２１０（第二フィルム接触部２１２）によって両側に押し退けられた部分（隆起部１２，１２，１７，１７）が互いに接近することになり、図１の拡大断面図に示す如く、隆起部１２，１２，１７，１７間の間隔が間延びすることなく互いに接近することで、長尺フィルムＦ１，Ｆ２の厚みに関係なく、隆起部１２，１２，１７，１７間に細長く且つ深さが十分に確保された深い溝状の切断補助線１１ａ，１１ｂ，１６ａ，１６ｂが形成されることになる。
【０１０５】
そして、本実施形態においては、ホーン２００が長尺フィルムＦ１，Ｆ２の一方の端部から他方の端部へ移動すると、受け材２１０の第二フィルム接触部２１２が２本形成される。受け材２１０には２本の稜線２１２ｃが中間部で交差するように設けられていることにより、２本の切断補助線１１ａ，１１ｂ，１６ａ，１６ｂは中間部で交差するように形成される。切断補助線１１ａ，１１ｂ，１６ａ，１６ｂの両側に形成された隆起部１２，１２，１７，１７は、切断補助線１１ａ，１１ｂ，１６ａ，１６ｂが交差する部位において、内側が不連続になる。
【０１０６】
そして、上述の如く、長尺フィルムＦ１，Ｆ２を間欠移動させつつ切断補助線１１ａ，１１ｂ，１６ａ，１６ｂを形成することで、図５に示す如く、長尺フィルムＦ１，Ｆ２には長手方向の所定間隔毎に切断補助線１１ａ，１１ｂ，１６ａ，１６ｂが形成されることとなる。
【０１０７】
なお、ホーン２００が長尺フィルムＦ１，Ｆ２の一方の端部から他方の端部へ移動して切断補助線１１ａ，１１ｂ，１６ａ，１６ｂを形成した１ピッチ下流側では、ホーン２００が長尺フィルムＦ１，Ｆ２の他方の端部から一方の端部へ戻るように移動して切断補助線１１ａ，１１ｂ，１６ａ，１６ｂを形成する。したがって、ホーン２００は、往動と復動とをすることによって切断補助線１１ａ，１１ｂ，１６ａ，１６ｂを形成するため、ホーン２００の動作に無駄がないようにされている。
【０１０８】
そして、第一長尺フィルムＦ１は、第一搬送径路Ｒ１上で間欠搬送され、下流側の食品載置部２１ａにおいて、第一長尺フィルムＦ１の切断補助線１６ａ，１６ｂの配置に対応してシート状食品Ｓが載置される。従って、第一長尺フィルムＦ１が間欠搬送されることで、食品載置部２１ａにおいて、順々に送られてくる第一長尺フィルムＦ１の切断補助線１６ａ，１６ｂに対応して間隔をあけてシート状食品Ｓが配置される。
【０１０９】
そして、フィルム重合部２２（２２ａ，２２ｂ）において、第一長尺フィルムＦ１上に第二長尺フィルムＦ２が重ね合わされる。このとき、第一長尺フィルムＦ１の切断補助線１６ａ，１６ｂと第二長尺フィルムＦ２の切断補助線１１ａ，１１ｂとが一致するように、第一長尺フィルムＦ１上に第二長尺フィルムＦ２が重ね合わされる。このように、外フィルム１５になる第一長尺フィルムＦ１上に内フィルム１０になる第二長尺フィルムＦ２が供給されることで、第一長尺フィルムＦ１と第二長尺フィルムＦ２との間にシート状食品Ｓが配置された状態になる。
【０１１０】
そして、フィルム溶着部２３（２３ａ，２３ｂ）において、重ね合わされた第一長尺フィルムＦ１と第二長尺フィルムＦ２とがシート状食品Ｓを取り囲むように溶着される。そして、フィルム切断部２４（２４ａ２４ｂ）で、溶着されて一体となった第一長尺フィルムＦ１と第二長尺フィルムＦ２とが幅方向の溶着部の中心で切断される。この切断に際して、切断補助線１１ａ，１１ｂ，１６ａ，１６ｂの両端と対応する部分を切り欠いて、ノッチＮ（切欠き１３，１８）が形成される。これにより、図２に示すような包装材１が完成する。
【０１１１】
この包装材１は、例えばおにぎりＡを挟むように二つ折りにされ、折り側以外の三方が溶着されることで図４に示すような包装体２となる。なお、包装材１が二つ折りにされ、三方が溶着された後に、切断補助線１１ａ，１１ｂ，１６ａ，１６ｂの両端部を含むようにノッチＮを形成してもよい。
【０１１２】
そして、包装体２は、開封するため、ノッチＮの両側を持って包装体２の短手方向に引っ張る。すると、前述したようにノッチＮを開封起点として、切断補助線１１ａ，１１ｂ，１６ａ，１６ｂに沿って内フィルム１０と外フィルム１５が引き裂かれる。切断補助線１１ａ，１１ｂ，１６ａ，１６ｂが２本ずつ形成されていることにより、正面から見て右側の切断補助線１１ａ，１１ｂ，１６ａ，１６ｂが引き裂かれ、裏面から見ても右側の切断補助線１１ａ，１１ｂ，１６ａ，１６ｂが引き裂かれたとしても、底部に位置している切断補助線１１ａ，１１ｂ，１６ａ，１６ｂの中間部が交差していることから、内フィルム１０と外フィルム１５は完全に二分割される。従って、内フィルム１０がシート状食品ＳとおにぎりＡとの間から引き抜かれ、シート状食品ＳがおにぎりＡを包むようにすることができる。
【０１１３】
尚、本発明は、上記実施形態に限定されるものではなく、本発明の要旨を逸脱しない範囲内において種々変更を加え得ることは勿論である。
【０１１４】
例えば、受け材２１０は、受け材本体２１１ａ，１１ｂから２本の第二フィルム接触部２１２，２１２を突出させないで、平面視で「＼」方向に傾斜させた第二フィルム接触部２１２と平面視で「／」方向に傾斜させた第二フィルム接触部２１２とを上流側と下流側に並列させ、２本の切断補助線を別々に形成してもよい。
【０１１５】
また、受け材は、図示しないが、変形角柱状でなく、回転式のもの（いわゆる、リング）であってもよい。すなわち、この回転式の受け材は、長尺フィルムＦ１，Ｆ２を介してホーン２００と同じ方向に移動する。
【０１１６】
また、２本の切断補助線１１ａ，１１ｂ，１６ａ，１６ｂは、正確な中心でなく、片方に偏心した中間部で交差してもよい。また、本発明によって製造された包装材は、ピロー包装としても使用することができる。
【０１１７】
また、２本の切断補助線１１ａ，１１ｂ，１６ａ，１６ｂは、交差ではなく、図７に示す如く、中間部で円弧状に接するように形成してもよい。図示した２本の切断補助線１１ａ，１１ｂ，１６ａ，１６ｂも両端部で平行に形成され、途中で円弧状に曲げられているが、図３（ｂ）に示す如く、折曲するように形成してもよい。いずれにしても、この形状に合わせた受材２１０とホーン２００とによって２本の切断補助線１１ａ，１１ｂ，１６ａ，１６ｂが形成される。
【符号の説明】
【０１１８】
１…………包装材
１０………内フィルム
１１ａ……切断補助線
１１ｂ……切断補助線
１５………外フィルム
１６ａ……切断補助線
１６ｂ……切断補助線
２００……ホーン
２１０……受け材
２１２……先端部（第二フィルム接触部）
２１２ａ…傾斜面
２１２ｂ…傾斜面
２１２ｃ…稜線
Ｆ１………（第一）長尺フィルム
Ｆ２………（第二）長尺フィルム
【図１】
2011131557.tif 000003
【図２】
2011131557.tif 000004
【図３】
2011131557.tif 000005
【図４】
2011131557.tif 000006
【図５】
2011131557.tif 000007
【図６】
2011131557.tif 000008
【図７】
2011131557.tif 000009
【図８】
2011131557.tif 000010
【図９】
2011131557.tif 000011
【図１０】
2011131557.tif 000012